(57)【要約】【課題】本発明の課題は、ケーブルに衝撃が加えられ外被が扁平した時に生じる切り裂き紐と外被との間の間隙を小さくすることができ、光ファイバが切り裂き紐と外被との間に挟み込まれることによる断線等を防ぐことができる多心光ファイバケーブルを提供することにある。【解決手段】本発明は、単心被覆光ファイバ２１を複数本集合して外被２４を施し、前記外被２４に外被切り裂き紐２６を設けた多心光ファイバケーブルにおいて、前記外被切り裂き紐２６として、外周に緩衝層２７を設けた外被切り裂き紐２６１を用いることを特徴とするものである。【選択図】図２
2008310041.tif 000002
【特許請求の範囲】
【請求項１】
単心被覆光ファイバを複数本集合して外被を施し、前記外被に外被切り裂き用の紐を設けた多心光ファイバケーブルにおいて、
前記外被切り裂き用の紐として、外周に緩衝層を設けた外被切り裂き用の紐を用いることを特徴とする多心光ファイバケーブル。
【請求項２】
単心被覆光ファイバを複数本集合して外被を施し、前記外被に外被切り裂き用の紐を設けた多心光ファイバケーブルにおいて、
前記外被切り裂き用の紐として、外周に繊維を備えたモール状の外被切り裂き用の紐を用いることを特徴とする多心光ファイバケーブル。
【請求項３】
請求項１又は２に記載の多心光ファイバケーブルを抗張力体の周囲に更に複数本ストレートまたは撚り合わせて集合した外周に、外被を施した構造を特徴とする多心光ファイバケーブル。
【発明の詳細な説明】
【技術分野】
【０００１】
本発明は、屋外または屋内における光ファイバを利用した情報配線の構成部品である多心光ファイバケーブルに関するものである。
【背景技術】
【０００２】
現在、多様で広帯域なブロードバンドサービスを提供するため、通信網に低損失・広帯域という特徴を持つ光ファイバが導入されている。光ファイバを通信網に用いる際には、光ファイバを束ねて、外被を施して多心光ファイバケーブルとして使用される。例えば、単心被覆光ファイバを実装した多心光ファイバケーブルが提案されている（例えば、特許文献１参照。）。光ファイバケーブル内部の単心被覆光ファイバを容易に取り出す為に、テトロン繊維やケブラー繊維を撚り合わせた、またはこれらをそのまま用いた外被切り裂き用の紐（以下、切り裂き紐という）が外被内に埋め込まれている。また、この切り裂き紐を用いて外被分割性を向上させるために、例えば特許文献２に示すように、切り裂き紐の一部を露出させ、残りを外被内に埋め込む方法が提案されている。
【０００３】
【特許文献１】特開２００７−４１５６８号公報
【特許文献２】特開２００１−４２１８２号公報
【発明の開示】
【発明が解決しようとする課題】
【０００４】
しかしながら、図４に示すように、複数本の単心被覆光ファイバ１１（一部図示せず）を集合して実装した多心光ファイバケーブル１２においては、外被１３内に切り裂き紐１４の全部または大部分が埋め込まれているために、光ファイバケーブル１２の切り裂き紐１４側に衝撃が加えられ、外被１３が大きく扁平した際に、切り裂き紐１４の埋め込み部が開き、多心光ファイバケーブル１２に実装した単心被覆光ファイバ１１が切り裂き紐１４と外被１３の間（図４中のＡ部）に挟み込まれてしまい、単心被覆光ファイバ１１に過度の曲げを与え、結果として大きな光損失増加もしくは破断を与えてしまうという課題がある。１５は鋼線などの抗張力体である。
【０００５】
尚、一般的には、単心被覆光ファイバを集合させた上からテープ状の材料で押さえ巻きを施すことで、単心被覆光ファイバの挟み込みを防ぐことが可能であるが、光ファイバケーブルの製造工程が増え、またテープ状材料で押さえ巻きを施す分だけ多心光ファイバケーブルの外径が大きくなるという課題がある。また、多心光ファイバケーブルの外被厚さを厚くすることで、光ファイバの破断を防ぐことが可能であるが、前記課題と同様に多心光ファイバケーブルの外径が大きくなるという課題がある。
【０００６】
本発明は上記の事情に鑑みてなされたもので、ケーブルに衝撃が加えられ外被が扁平した時に生じる切り裂き紐と外被との間の間隙を小さくすることができ、光ファイバが切り裂き紐と外被との間に挟み込まれることによる断線等を防ぐことができる多心光ファイバケーブルを提供することを目的とする。
【課題を解決するための手段】
【０００７】
上記目的を達成するために本発明は、単心被覆光ファイバを複数本集合して外被を施し、前記外被に外被切り裂き用の紐を設けた多心光ファイバケーブルにおいて、前記外被切り裂き用の紐として、外周に緩衝層を設けた外被切り裂き用の紐を用いることを特徴とするものである。
【０００８】
また本発明は、単心被覆光ファイバを複数本集合して外被を施し、前記外被に外被切り裂き用の紐を設けた多心光ファイバケーブルにおいて、前記外被切り裂き用の紐として、外周に繊維を備えたモール状の外被切り裂き用の紐を用いることを特徴とするものである。
【０００９】
また本発明は、前記多心光ファイバケーブルを抗張力体の周囲に更に複数本ストレートまたは撚り合わせて集合した外周に、外被を施した構造を特徴とするものである。
【発明の効果】
【００１０】
本発明の多心光ファイバケーブルは、ケーブルに衝撃が加えられ、外被が扁平した時に、切り裂き紐と外被との間に生じる隙間の大きさを低減するようになっており、ケーブルに実装された単心被覆光ファイバが外被と切り裂き紐の間に挟み込まれず、光ファイバに加わる過度の曲げや光ファイバの断線を防ぐことができる。さらに、単心被覆光ファイバを集合させた上からテープ状の材料で押さえ巻きを施すことなく、光ファイバの挟み込みを防ぐことができるため、テープ状の材料で押さえ巻きを施した場合と比較して、ケーブル外径が小さくできるという効果も奏する。
【発明を実施するための最良の形態】
【００１１】
以下図面を参照して本発明の実施の形態を詳細に説明する。
図１は本発明の実施形態に用いる多心光ファイバケーブルを示す構成説明断面図である。図１に示すように、光ファイバの外周に同心円状に被覆を施した単心被覆光ファイバ２１を複数本例えば２０本ストレートまたは撚り合わせて密に集合した外周に識別用糸または識別用テープ２２を巻いて光ファイバ束の光ファイバユニット２３を形成し、更に前記識別用糸または識別用テープ２２を巻いた光ファイバユニット２３を、複数本例えば５本ストレートまたは撚り合わせて密に集合した外周に外被２４を施して多心光ファイバケーブルを構成する。また、前記外被２４内には、２本の鋼線などの抗張力体２５が多心光ファイバケーブル中心に対して互いに対称の位置になるように埋め込まれ、かつ、多心光ファイバケーブル内部から単心被覆光ファイバ２１を容易に取り出すための２本の切り裂き紐（外被切り裂き用の紐）２６が多心光ファイバケーブル中心に対して互いに対称の位置になるように、外被２４内に埋め込まれている。
【００１２】
尚、単心被覆光ファイバを複数本例えば１００本ストレートまたは撚り合わせて密に集合した外周に外被を施して多心光ファイバケーブルを構成するようにしてもよい。
【００１３】
図２は本発明の実施形態に係る切り裂き紐の一例を示す構成説明断面図である。図２に示すように、多心光ファイバケーブルの外被２４中の内周面近傍には２本の切り裂き紐２６１が多心光ファイバケーブル中心に対して互いに対称の位置になるように、切り裂き紐２６１の一部を露出させ、残りを外被２４内に埋め込まれて設けられる。
【００１４】
前記切り裂き紐２６１に用いる材料としては、引張強度の高い、テトロン繊維やケブラー繊維をそのまま、または、撚り合わせたものが用いられる。
【００１５】
ここで、前記切り裂き紐２６１の外周には、同心円状に柔らかい材質、すなわち外被２４の材質よりも弾性率が低く、伸び量が大きい材質からなる緩衝層２７が設けられている。前記緩衝層２７は、例えば、重さ１ｋｇの錘を高さ１ｍから多心光ファイバケーブルに落下させるような大きな衝撃が多心光ファイバケーブルに加えられ、外被２４が扁平した際に、切り裂き紐埋め込み部が開こうとする（図４のＡ部参照）が、前記緩衝層２７である程度の変位が生じ、前記切り裂き紐２６１と外被２４との間に生じる隙間の大きさを低減することができる。
【００１６】
尚、前記緩衝層２７に用いる材料としては、例えば多心光ファイバケーブルの外被２４に用いられるポリエチレンよりも弾性率が低く、伸び量が大きい紫外線硬化樹脂、ウレタン樹脂、シリコン樹脂などを用いることが出来る。
【００１７】
また、図２に示す構造の多心光ファイバケーブルを製造し、重さ１ｋｇの錘を高さ１ｍから多心光ファイバケーブルに落下させるような大きな衝撃を加える試験を実際に実施した結果、単心被覆光ファイバ２１の挟み込みによる、光損失増加および単心被覆光ファイバ２１の破断が生じないことを確認した。
【００１８】
図３は本発明の実施形態に係る切り裂き紐の他の例を示す構成説明断面図である。図３に示すように、多心光ファイバケーブルの外被２４中の内周面近傍には２本の切り裂き紐２６２が多心光ファイバケーブル中心に対して互いに対称の位置になるように、切り裂き紐２６２の一部を露出させ、残りを外被２４内に埋め込まれて設けられる。
【００１９】
前記切り裂き紐２６２に用いる材料としては、引張強度の高い、テトロン繊維やケブラー繊維をそのまま、または、撚り合わせたものが用いられる。
【００２０】
ここで、前記切り裂き紐２６２として、外周に繊維２８を同心円状に取り付けたモール状の切り裂き紐を用いる。モールとは、例えばお菓子の包装をする際によく用いられる、手芸用の針金または紐として知られており、外周に同心円状に繊維を特殊加工して取り付けたものである。
【００２１】
前記切り裂き紐２６２として、モール状の切り裂き紐を用いることによって、切り裂き紐２６２の外周に取り付けられた繊維２８が、多心光ファイバケーブル製造時に外被２４内に埋め込まれ、切り裂き紐２６２と外被２４材料との間の界面において繊維架橋（ブリッジング）効果が得られるために、例えば、重さ１ｋｇの錘を高さ１ｍから多心光ファイバケーブルに落下させるような大きな衝撃が多心光ファイバケーブルに加えられ、外被２４が扁平した際に、切り裂き紐２６２埋め込み部が開こうとする（図４のＡ部参照）が、繊維架橋（ブリッジング）効果により、外被２４の切り裂き紐２６２埋め込み部において、前記切り裂き紐２６２と外被２４との間に生じる隙間の大きさを低減でき、かつ隙間に単心被覆光ファイバ２１が挟まれないように防護する効果も奏する。
【００２２】
以上のように、多心光ファイバケーブルの切り裂き紐側へ加えられる衝撃に対して、外被が扁平した際に、切り裂き紐埋め込み部を開きにくくする効果が得られるように、切り裂き紐として、例えば外周に繊維を同心円状に取り付けた切り裂き紐、または柔らかい材料から成る緩衝層を切り裂き紐外周に同心円状に設けた切り裂き紐を用いたことを特徴とする。
尚、上記のように構成した多心光ファイバケーブルを抗張力体の周囲に複数本ストレートまたは撚り合わせて集合した外周に、外被を施して多心光ファイバケーブルを構成してもよく、この場合には更に多くの単心被覆光ファイバを収容することができる。
【００２３】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００２４】
【図１】本発明の実施形態に用いる多心光ファイバケーブルを示す構成説明断面図である。
【図２】本発明の実施形態に係る切り裂き紐の一例を示す構成説明断面図である。
【図３】本発明の実施形態に係る切り裂き紐の他の例を示す構成説明断面図である。
【図４】従来の多心光ファイバケーブルを示す構成説明断面図である。
【符号の説明】
【００２５】
２１…単心被覆光ファイバ、２２…識別用糸または識別用テープ、２３…光ファイバユニット、２４…外被、２５…抗張力体、２６…切り裂き紐。
【図１】
2008310041.tif 000003
【図２】
2008310041.tif 000004
【図３】
2008310041.tif 000005
【図４】
2008310041.tif 000006